(57)【要約】【課題】カートン本体の前面板の上端を上方に凸の端縁形状としながら、ラップフィルムの切断時にラップフィルムの側端部分で切断開始端が簡単に生じるようにし、ラップフィルムの引き出しが容易でかつ、切断もスムーズに行なえるようにする。【解決手段】カートン本体２の前面板３の上端１８を中央が上方に凸とした端縁形状とし、かつラップフィルムＢの側端Ｃに対応する前面板３の上端１８の両側部２０それぞれを上方に向けて曲がる曲線形状とし、ラップフィルムＢの側端Ｃと前記曲線状部分との摺接位置２１を、前面板３の上端１８の最下端２２の位置より上方とした。【選択図】    図４
2005047562.tif 000002
【特許請求の範囲】
【請求項１】
上面を開口してフィルム巻き体が収納されたカートン本体の後面板に、前記上面を開閉可能に覆う蓋板を連接し、該蓋板に、カートン本体の前面部に重なる前垂れ壁が連接され、フィルム引き出し時にフィルム巻き体が回転して、前面板の上端を介してフィルム巻き体から引き出されたラップフィルムが、上面を蓋板で閉じたときの前記前垂れ壁と前面板との間に位置し、前垂れ壁の下端に亘って設けた切断刃によってラップフィルムを切断可能とするラップフィルムの収納カートンにおいて、
前記前面板の上端を中央が上方に凸とした端縁形状とし、かつラップフィルムの側端に対応する前面板の上端の両側部それぞれを上方に向けて曲がる曲線形状とし、ラップフィルムの側端と前記曲線状部分との摺接位置を、前面板の上端の最下端位置より上方としたことを特徴とするラップフィルム収納カートン。
【発明の詳細な説明】
【技術分野】
【０００１】
本発明はラップフィルムを収納した収納カートンに関するものである。
【背景技術】
【０００２】
従来からラップフィルムは食品を直接包み込んだり、食品を盛った皿に被せたりするなどのように簡易保存のための包装目的に一般家庭で広く使用されている。そして、ラップフィルムは巻き芯に巻いたフィルム巻き体の形態とされ、流通や一般家庭での保管が衛生的なものとなるように細長の箱体に収められているのが通常であり、有底にして上面が開口した横長のカートン本体にフィルム巻き体を収納するとともに、そのカートン本体の後面板に連接されてカートン本体の上面を開閉可能に覆う蓋板に、カートン本体の前面板に重なる前垂れ壁を連接した形態が一般的である。
また、このラップフィルム収納カートンでは、ラップフィルムを引き出すときにフィルム巻き体がカートン本体内で回転し、前面板の上端を経てフィルム巻き体から引き出したラップフィルムを、閉じた蓋板の前垂れ壁と前面板との間に位置させて挟み込み、その後、カートン本体全体をひねるように回転させるなどすることによって前垂れ壁の下端に亘って設けた切断刃に鋭角に当てて切断しており、他の切断用具を用意することなくラップフィルムを必要長さに簡単に切断できるようにしていた。
【０００３】
ところで、上記ラップフィルム収納カートンにおいて、図６に示すようにカートン本体ａの前面板ｂの上端ｃは直線状で、フィルム巻き体ｄの頂部ｅにほぼ揃う高さ位置にあり、ラップフィルムｆを引き出す際には前記上端ｃにそのラップフィルムｆが摺接している。そして、ラップフィルムｆを引き出すとき、そのラップフィルムｆの切断縁の全幅を一度に持って引き出すのではなく、切断縁の一部を摘んで引き出すようにしている。
この場合、図７に示すように回転するフィルム巻き体ｄからラップフィルムｆが離れる分離部分ｇの位置が前面板ｂ側に寄っているため、摺接時に比較的大きな摩擦がラップフィルムの全幅で生じており、ラップフィルムを引き出し難くしている。特に引き出そうとするラップフィルムの切断縁の一側端を摘み持って引きだそうとすると、ラップフィルムの摘み持った側での側端と前記上端の側部とでの摩擦が一層大きくなり、ラップフィルムの引き出しが困難になり易い。
そこで、前面板の上端をほぼ全幅に亘って前面板の下端側に下がった位置にし、フィルム巻き体からラップフィルムが離れる分離部分が前面板側に寄ったとしても、その分離部分の高さ位置が前面板の上端の高さ位置より上方となるようにし、摺接時の摩擦自体をラップフィルムの全幅に亘って極力小さくする工夫が提案されている（特許文献１参照）。また、前面板の上端の両側部の位置を前面板の下端側に下げて、上端の中央が上方に向けて凸となる端縁形状として、引き出すラップフィルムの両側との摩擦が小さくなるようにし、これによってラップフィルムの全幅方向全体での摩擦が小さくして、ラップフィルムの切断縁のいずれの部分を摘み持っても困難なく引き出せるようにした工夫が提案されている（特許文献２参照）。
【特許文献１】実公平０２−０３４１８５号公報（第３欄５−８行、第１図）
【特許文献２】公開実用平成０１−０８８８２３号（第１０頁６−１１行、第４図）
【発明の開示】
【発明が解決しようとする課題】
【０００４】
しかしながら、ラップフィルム収納カートンにおいて、上述したように引き出したラップフィルムを切断するときに、そのラップフィルムを蓋板の前垂れ壁と前面板との間に位置させて挟み込み、前垂れ壁に設けた切断刃に鋭角に当てて切断するものの場合、前面板の上端をほぼ全体的に下げた構造とすると、前垂れ壁と前面板とでラップフィルムを適正に挟み込みすることができないという問題がある。
これに対して上述した前面板の上端をその中央が上方に向けて凸となる端縁形状としたものでは、前垂れ壁とでラップフィルムを適正に挟み込みでき、さらにはラップフィルムを勢いよく引っ張っても高さのある前面板でフィルム巻き体の飛び出しを十分に防止できて有用である。しかし、前垂れ壁の下端に切断刃を取り付けているものでは、図８で示すように切断刃ｈの側部での高さと上端ｃの側部での高さとの差が小さくなってしまう。そしてラップフィルムｆの切断時の引っ張り力で切断刃ｈの側部が前面板ｂから前方へ離れるような位置変化が生じ易くなっていることから、上端ｃの側部を経て切断刃ｈに当たるラップフィルムｆとその切断刃ｈとの間の角度が大きくなってしまい、ラップフィルムが切断し難くなってしまうという問題があった。
そこで本発明は上記事情に鑑み、カートン本体の前面板の上端を上方に凸の端縁形状としたことの有用な点を損なうことなく、ラップフィルムの切断時にそのラップフィルムの側端部分で切断開始端が簡単に生じるようにすることを課題とし、ラップフィルムの引き出しが容易でかつ、その切断もスムーズに行なえるようにすることを目的とする。
【課題を解決するための手段】
【０００５】
本発明は上記課題を考慮してなされたもので、上面を開口してフィルム巻き体が収納されたカートン本体の後面板に、前記上面を開閉可能に覆う蓋板を連接し、該蓋板に、カートン本体の前面部に重なる前垂れ壁が連接され、フィルム引き出し時にフィルム巻き体が回転して、前面板の上端を介してフィルム巻き体から引き出されたラップフィルムが、上面を蓋板で閉じたときの前記前垂れ壁と前面板との間に位置し、前垂れ壁の下端に亘って設けた切断刃によってラップフィルムを切断可能とするラップフィルムの収納カートンにおいて、前記前面板の上端を中央が上方に凸とした端縁形状とし、かつラップフィルムの側端に対応する前面板の上端の両側部それぞれを上方に向けて曲がる曲線形状とし、ラップフィルムの側端と前記曲線状部分との摺接位置を、前面板の上端の最下端位置より上方としたことを特徴とするラップフィルム収納カートンを提供して、上記課題を解消するものである。
【発明の効果】
【０００６】
本発明により、ラップフィルムの側端と前記曲線状部分との摺接位置が前面板の上端の最下端位置より上方に設けられて、前面板の前記上端に重なる前垂れ壁の下端までの距離が大きくなり、前垂れ壁の下端に切断刃を設けることで前記上端の側部を経て切断刃に達するラップフィルムとその切断刃との角度が小さくなり、ラップフィルムの切断操作時にその側端に引っ張り力を加えると、切断開始端が適正に生じて、ラップフィルムの切断がスムーズに行なえるなど、実用性に優れた効果を奏するものである。
【発明を実施するための最良の形態】
【０００７】
つぎに本発明を図１から図５に示す実施の形態に基づいて詳細に説明する。
図中１はラップフィルム収納カートンで、該ラップフィルム収納カートン１は、フィルム巻き体Ａを収納するために横長としたカートン本体２を前面板３と底面板４と後面板５と両端の側面板６とから構成して上面７を開口したものとし、前記後面板５の上辺に、上面７を開閉可能に覆う蓋板８を連接し、さらにこの蓋板８に前垂れ壁９を連接して蓋板８が上面７を閉じているときに前垂れ壁９が前面板３に重なるようにしている。
また、ラップフィルム収納カートン１では、フィルム引き出し時にカートン本体２のフィルム巻き体収納空間１０の内でフィルム巻き体Ａが回転して、前面板３の上端を介してフィルム巻き体ＡからラップフィルムＢが引き出され、上面７を蓋板８で閉じたときには前記前垂れ壁９と前面板３との間にラップフィルムＢが位置して、前垂れ壁９を前面板３に重ねてラップフィルムＢを挟み持つことができ、そして、そのラップフィルムＢを切断するために用いる切断刃１１が、前垂れ壁９の下端に亘って取り付けられている。
さらにラップフィルム収納カートン１には、蓋板８の端部から降りて上記前垂れ壁９の両側に連続するように位置する横垂れ壁１２があり、上面７を閉じたときにはこの横垂れ壁１２が側面板６に重なるものである。
図２に示すように前垂れ壁９の下端には分離可能にして切断刃保護兼開封片部１３が連接されている。切断刃保護兼開封片部１３はこのラップフィルム収納カートン１が未使用の時点まで上記前面板３に分離可能に貼り付けられて切断刃１１を保護するものであり、この切断刃保護兼開封片部１３を取り除くことで蓋板８の開きが可能となり、切断刃１１も表出するようになる。
【０００８】
図３はブランクの状態を示していて、前面板３と底面板４と後面板５と蓋体８と前垂れ壁９とが折り罫ｓを介して連接され、前垂れ壁９にはミシン目からなる切り取り部ｒを介して上述したように切断刃保護兼開封片部１３を連接している。カートン本体２の上記側面板６は、前面板３と後面板５との側端に折り罫ｓを介して連接された内側貼着フラップ１４と底面板４の側端に折り罫ｓを介して連接された外側貼着フラップ１５との貼り合わせにより構成されている。
また、蓋体８の側端に折り罫ｓを介して外側貼着フラップ１６が連接され、前垂れ壁９の側端に折り罫ｓを介し内側貼着フラップ１７が連接されていて、外側貼着フラップ１６の内方側に内側貼着フラップ１７を貼り付けることによって上記横垂れ壁１２が形成されている。
【０００９】
図１に示されているように上記カートン本体２の前面板３の上端１８は、その中央部１９が上方に向けて凸となる緩やかな略弧状の端縁形状に設けられていて、中央部１９の高さ位置はカートン本体２の上記後面板５や側面板６の上端の高さ位置と揃えられている。即ち、中央部１９からその両側の側部２０それぞれに向う端縁が下り傾斜している。さらに、前記側部２０それぞれにあっては、ラップフィルムＢの側端Ｃが対応する端縁が、下り傾斜した前記端縁に連続しながら上方に向けて曲がる弧を描くような曲線形状として形成され、ラップフィルムＢの側端Ｃが摺接する曲線形状部分での摺接位置２１が、上端１８での最下端２２より上方に設けられている。なお、上端１８の全域は、蓋体閉時に重ねた前垂れ壁９の下端に位置する切断刃１１より上方に位置しており、前記摺接位置２１及び最下端２２も切断刃１１の高さ位置より上方となる。
このように上端１８の側部２０における曲線状部分において、ラップフィルムＢの側端Ｃが摺接する摺接位置２１を、近傍の最下端２２の高さ位置より上方として、切断刃１１から上方に離れるように設定しているため、このラップフィルムＢの側端Ｃの前記摺接位置２１から切断刃１１までの長さが長くなり、図４に示すようにラップフィルムＢを切断するときにラップフィルムＢの引っ張り力によって切断刃１１が前面板３から離れるように前方に移動したとしても、摺接位置２１から切断刃１１までの側端Ｃと切断刃１１との間の角度が小さく維持され、切断するときにこの側端Ｃに引っ張り力を加えたときに容易に切れて切断開始端が生じるようになり、その切断開始端が生じれば、僅かな引っ張り力を加えたりカートン本体をひねるような回転操作でラップフィルムＢの全幅に及ぶ切断が続くようになり、ラップフィルムの切断がスムーズに行なえるものとなる。
【図面の簡単な説明】
【００１０】
【図１】本発明に係るラップフィルム収納カートンの一例をカートン本体上面板が開の状態で示す説明図である。
【図２】一例の未開封状態を示す説明図である。
【図３】一例のブランクを示す説明図である。
【図４】一例における前面板の上端と引き出されたラップフィルムとを示す説明図である。
【図５】一例においてフィルム切断時に前面板の上端の側部から切断刃にラップフィルムの側端が亘る状態を示す説明図である。
【図６】従来例を示す説明図である。
【図７】従来例におけるラップフィルムの引き出しを示す説明図である。
【図８】前面板の上端を弧状とした従来例においてフィルム切断時に前面板の上端から切断刃にラップフィルムが亘る状態を示す説明図である。
【符号の説明】
【００１１】
１…ラップフィルム収納カートン
３…前面板
９…前垂れ壁
１０…フィルム巻き体収納空間
１１…切断刃
１８…上端
１９…中央部
２０…側部
２１…摺接位置
Ａ…フィルム巻き体
Ｂ…ラップフィルム
Ｃ…側端
【図１】
2005047562.tif 000003
【図２】
2005047562.tif 000004
【図３】
2005047562.tif 000005
【図４】
2005047562.tif 000006
【図５】
2005047562.tif 000007
【図６】
2005047562.tif 000008
【図７】
2005047562.tif 000009
【図８】
2005047562.tif 000010